(57)【特許請求の範囲】
【請求項１】
本体内に、少なくとも内釜と、該内釜を誘導加熱する誘導加熱コイルと、電気部品を実装した基板と、を備えた炊飯器において、
前記誘導加熱コイルの下方の本体底板上に前記基板を配置し、該基板を防磁性のステンレス材で構成された延焼防止カバーで覆い、
前記電気部品は、前記基板と前記延焼防止カバーの間に位置し、
前記延焼防止カバーは、冷却ファンからの風を導入する導入風路となる延出部が、前記冷却ファンの吹出口に掛かるように設けられていることを特徴とする炊飯器。
【請求項２】
前記基板は、前記本体の幅方向の中央より一側寄りで、その長手方向が前記本体の奥行き方向を向くように配置され、前記延焼防止カバーにて覆われていることを特徴とする請求項１記載の炊飯器。
【請求項３】
前記本体の幅方向の前記延焼防止カバーとは反対側に、電源コード接続部を設けたことを特徴とする請求項１又は請求項２記載の炊飯器。
【請求項４】
前記延焼防止カバーは、前記基板を収納可能な上カバー及び下カバーでなる箱形に形成され、少なくとも上カバーが防磁性のステンレスで構成されていることを特徴とする請求項１乃至請求項３のいずれかに記載の炊飯器。
【請求項５】
箱形に形成された前記延焼防止カバー内で基板のパターン面側を通気可能に覆う防虫フィルターを設けたことを特徴とする請求項４記載の炊飯器。
【請求項６】
前記本体底板上の前記誘導加熱コイルの下方における前記延焼防止カバーで覆われる部位を除く領域内に、防磁板を設けたことを特徴とする請求項１乃至請求項５のいずれかに記載の炊飯器。
【請求項７】
前記本体底板の両側縁部の奥行き方向中間部に、下面より上方に凹陥する手掛け部を設けたことを特徴とする請求項１乃至請求項６のいずれかに記載の炊飯器。
【発明の詳細な説明】
【技術分野】
【０００１】
本発明は、本体に収納した内釜を誘導加熱する誘導加熱コイルを備えた炊飯器に関する。
【背景技術】
【０００２】
従来、この種の炊飯器、すなわち内釜を誘導加熱する誘導加熱コイルを備えた炊飯器は、本体と、本体内に着脱自在に収納した内釜と、本体の上面開口部を開閉自在に覆う蓋と、本体内の内釜の側方や下方に配置されて内釜を誘導加熱する誘導加熱コイルと、電気部品を実装した制御基板とを備えており、制御基板は本体の後部または前部に配置されている（例えば、特許文献１参照）。
【０００３】
また一般に、誘導加熱コイルの周り、つまり本体の内釜収納部の胴部の周りや本体底板上には、防磁リングや防磁板が配置されている。制御基板を本体の後部または前部に配置しているのは、比較的設置スペースの確保が容易であることによる。また、制御基板を覆う延焼防止カバーや、基板のパターン面側を覆う基板ベースを設けたものもある。
【０００４】
このようなものにおいて、例えば雑音対策などのための電気部品を実装した補助基板を追加する際、補助基板を制御基板面に取り付けようとすると、設置スペースを大きくしなければならず、本体の大型化を余儀なくされる。そこで、アース構造を必要とする炊飯器特に海外向けの機種において、誘導加熱コイルの下方の本体底板上に補助基板を水平配置したものがある。
【先行技術文献】
【特許文献】
【０００５】
【特許文献１】特開２０１０−２１４０３２号公報（図１）
【発明の概要】
【発明が解決しようとする課題】
【０００６】
しかしながら、誘導加熱コイルの下方は狭隘な空間であり、そこに防磁板と補助基板と比較的大きな設置スペースを必要とする延焼防止カバーとを配置するのは困難である。そのため、誘導加熱コイルの下方に配置される補助基板は、従来、延焼防止カバーで覆われておらず、露出した状態で設置されているのが実状である。このため、誘導加熱コイルの下方に配置される補助基板から万が一炎が発生しても、周囲の部品への延焼を防止することができなかった。
【０００７】
本発明は、前記のような課題を解決するためになされたもので、制御基板や補助基板に拘わらず、電気部品を実装して誘導加熱コイルの下方に配置される基板を電磁波から保護することや、周囲への延焼防止を目的とする。
【課題を解決するための手段】
【０００８】
本発明に係る炊飯器は、本体内に、少なくとも内釜と、内釜を誘導加熱する誘導加熱コイルと、電気部品を実装した基板と、を備えた炊飯器において、誘導加熱コイルの下方の本体底板上に基板を配置し、基板を防磁性のステンレス材で構成された延焼防止カバーで覆い、電気部品は、基板と延焼防止カバーの間に位置し、延焼防止カバーは、冷却ファンからの風を導入する導入風路となる延出部が、冷却ファンの吹出口に掛かるように設けられているものである。
【発明の効果】
【０００９】
本発明の炊飯器においては、電気部品を実装した基板を覆う延焼防止カバーが防磁性のステンレス材で構成され、防磁板の機能も持っているので、延焼防止カバーの配置部に別部材でなる防磁板を設置する必要がない。そのため、延焼防止カバーの設置スペースの確保が容易で、限られたスペースの中で効率の良い配置ができる。そして、従来の構成を生かしつつ、延焼防止カバー以外に部品を追加することなく、また本体の大型化を極力抑えた中で、誘導加熱コイルの下方に配置される基板を電磁波から保護することや、周囲への延焼防止が可能となる。
【図面の簡単な説明】
【００１０】
【図１】本発明の実施形態に係る炊飯器の外観を示す斜視図である。
【図２】本発明の実施形態に係る炊飯器の側方より見た縦断面図である。
【図３】本発明の実施形態に係る炊飯器の正面より見た縦断面図である。
【図４】本発明の実施形態に係る炊飯器の本体底板上の主要部品の配置構成を誘導加熱コイルとの関係で示す平面図である。
【図５】本発明の実施形態に係る炊飯器の基板の延焼防止カバーの分解斜視図である。
【発明を実施するための形態】
【００１１】
図１は本発明の実施形態に係る炊飯器の外観を示す斜視図、図２は本発明の実施形態に係る炊飯器の側方より見た縦断面図、図３は本発明の実施形態に係る炊飯器の正面より見た縦断面図である。
本発明の実施形態の炊飯器は、図１乃至図３のように内釜２が着脱自在に収容される本体１と、本体１の後部にヒンジ結合されて内釜２の上部開口を開閉自在に閉塞する蓋３とを有している。本体１の正面には、蓋３の係合解除ボタン４が設けられている。蓋３の上面の前側には、複数の操作ボタン５と、操作状態を表示する液晶表示パネル６が設けられている。本体１内の内釜２の下方には、電磁波により内釜２を加熱する誘導加熱コイル７が備えられている。また、本体１内の内釜収納部の底部中央には、上方に付勢されて内釜２の底面に接触して中央部付近の発熱温度を検出する温度センサー８が取り付けられている。
【００１２】
また、本体１の後部には図示しない電気部品を実装した基板、例えば制御基板９が配置されている。制御基板９は、延焼防止カバー１１で覆われているとともに、延焼防止カバー１１内で更に基板のパターン面側が防虫フィルター１２によって通気可能に覆われている。また、制御基板９は、その下方に設置された冷却ファン１３により冷却されるようになっている。
【００１３】
また、誘導加熱コイル７の下方の本体底板１４上に、電気部品を実装した基板、ここでは雑音対策のためのアースコイル１０などを実装した補助基板１５を水平配置し、補助基板１５を箱形の延焼防止カバー２０で覆っている。
【００１４】
これを図４及び図５を用いて図１乃至図３を参照しながら更に詳述する。図４は本発明の実施形態に係る炊飯器の本体底板上の主要部品の配置構成を誘導加熱コイルとの関係で示す平面図、図５は本発明の実施形態に係る炊飯器の基板の延焼防止カバーの分解斜視図である。
延焼防止カバー２０は、図２乃至図５のように補助基板１５を収納可能な上カバー２１及び下カバー２２でなる箱形に形成され、少なくとも上カバー２１が防磁性の金属材、例えば比較的発熱の少ないオーステナイト系のステンレスＳＵＳ３０４で構成され、下カバー２２が鋼板で構成されているが、上下カバー２１，２２の双方ともステンレス材で構成してもよい。このように、延焼防止カバー２０を防磁性のステンレス材で構成することで、耐火性を向上させつつ延焼防止カバー２０に防磁板の機能も持たせることができる。そのため、延焼防止カバー２０の配置部に別部材でなる防磁板を設置する必要がなくなり、その分、延焼防止カバー２０の設置スペースの確保が容易となり、限られたスペースの中で効率の良い配置ができる。そして、従来の構成を生かしつつ、延焼防止カバー２０以外に部品を追加することなく、また本体１の大型化を極力抑えた中で、誘導加熱コイル７の下方に配置される補助基板１５を電磁波から保護し、周囲への延焼防止が可能となる。
【００１５】
また、延焼防止カバー２０内には、図２乃至図５のように補助基板１５のパターン面側を通気可能に覆う防虫フィルター２３が設けられている。これにより、補助基板１５のパターン面側にゴキブリなどが侵入するのを防止でき、ゴキブリなどによる基板パターン間のショートを未然に防ぐことができる。
【００１６】
また、延焼防止カバー２０の上カバー２１には、図２及び図５のように冷却ファン１３の吹出口に掛かるように導入風路となる延出部２１ａが設けられており、冷却ファン１３からの風を導入できるようになっている。これにより、単一の冷却ファン１３を用いて、延焼防止カバー１１側の制御基板９と、延焼防止カバー２０側の補助基板１５の双方を冷却することができ、新たに冷却ファンを設ける必要がなくなる。
【００１７】
また、延焼防止カバー２０は、図３及び図４のように本体１の幅方向の中央より一側（右側）寄りで、その長手方向が本体１の奥行き方向を向くように、つまり補助基板１５の配置位置は本体中心部を避けるように設定している。これにより、本体１内の内釜収納部内に水をこぼした時の温度センサー８部から延焼防止カバー２０内の補助基板１５への水の浸入を防止することができる。
【００１８】
また、図４のように本体１の幅方向の延焼防止カバー２０とは反対側（左側）に、電源コード接続部３０を設けている。これにより、電源コード接続部３０の配置が容易で、かつ重量バランスがとり易くなっている。
【００１９】
また、図４のように本体底板１４上の誘導加熱コイル７の下方における延焼防止カバー２０で覆われる部位を除く領域内に、防磁板５０を設けている。なお、図４中の誘導加熱コイル７は、コイル外形を示している。これにより、底方向での本体外への電磁波漏洩を抑えることができる。
【００２０】
また、図１及び図３のように本体底板１４の両側縁部の奥行き方向中間部に、下面より上方に凹陥する手掛け部４１，４２を設けている。これにより、限られたスペースの中で手掛け部４１，４２の効率の良い配置が可能となった。
【００２１】
以上のように、本発明によれば、電気部品を実装した基板（例えば補助基板１５）を覆う延焼防止カバー２０が防磁性のステンレス材で構成され、これに防磁板の機能も持たせたので、延焼防止カバー２０の配置部に別部材でなる防磁板を設置する必要がなくなり、延焼防止カバー２０の設置スペースの確保が容易となった。そのため、限られたスペースの中で延焼防止カバー２０の効率の良い配置ができた。そして、従来構成を生かしつつ、延焼防止カバー２０以外に部品を追加することなく、また本体１の大型化を極力抑えた中で、誘導加熱コイル７の下方に配置される基板を電磁波から保護し、周囲への延焼防止が可能となる。
【符号の説明】
【００２２】
１  本体、２  内釜、３  蓋、４  係合解除ボタン、５  操作ボタン、６  液晶表示パネル、７  誘導加熱コイル、８  温度センサー、９  制御基板（基板）、１０  アースコイル、１１，２０  延焼防止カバー、１２，２３  防虫フィルター、１３  冷却ファン、１４  本体底板、１５  補助基板（基板）、２１  上カバー、２１ａ  延出部、２２  下カバー、３０  電源コード接続部、４１，４２  手掛け部、５０  防磁板。
【図１】
0005921144.tif 000002
【図２】
0005921144.tif 000003
【図３】
0005921144.tif 000004
【図４】
0005921144.tif 000005
【図５】
0005921144.tif 000006